(57)【要約】【課題】ダクトに対して迅速かつ簡単に取り付け可能な防火ダクト遮断装置を得る。【解決手段】ダクト３０を火災の際に遮断するための装置であって、ハウジング１１と、このハウジング１１にダクト３０を収容するよう形成した収容部１７とを設け、ハウジング１１には、火災の際にダクト３０に切り込んで遮断するよう駆動手段２８によって収容部１７に向かってハウジング１１から遮断位置４２に移動可能にした切断および遮断素子２０を設け、またハウジング１１には、固定素子により取り付けを行う固定部２９を設けたダクト遮断装置１０において、収容部１７の切断および遮断素子２０側とは反対側を開放した構成にし、またハウジング１１に少なくとも１個の止め部１５を設け、切断および遮断素子２０にはこの止め部１５に連係動作する少なくとも１個の対向止め部２５を設けて切断および遮断素子２０の遮断位置４２を規定する構成とする。【選択図】図１
2006000653.tif 000002
【特許請求の範囲】
【請求項１】
導管もしくはケーブルチャンネルのようなダクト（３０）を火災の際に遮断するための装置であって、ハウジング（１１）と、このハウジング（１１）にダクト（３０）を収容するよう形成した収容部（１７）とを設け、ハウジング（１１）には、火災の際にダクト（３０）に切り込んで遮断するよう駆動手段（２８）によって収容部（１７）に向かってハウジング（１１）から遮断位置（４２）に移動可能にした切断および遮断素子（２０）を設け、またハウジング（１１）には、固定素子により取り付けを行う固定部（２９）を設けたダクト遮断装置において、
前記収容部（１７）の切断および遮断素子（２０）側とは反対側を開放した構成にし、またハウジング（１１）に少なくとも１個の止め部（１５）を設け、切断および遮断素子（２０）にはこの止め部（１５）に連係動作する少なくとも１個の対向止め部（２５）を設けて切断および遮断素子（２０）の遮断位置（４２）を規定する構成としたことを特徴とするダクト遮断装置。
【請求項２】
前記収容部（１７）をハウジングの前方延長部（１３）により部分的に包囲し、各前方延長部（１３）にそれぞれ止め部（１５）を設けた請求項１記載のダクト遮断装置。
【請求項３】
２個の前方延長部（１３）を設け、この前方延長部（１３）の遊端（１４）にそれぞれ止め部（１５）を設けた請求項１または２記載のダクト遮断装置。
【請求項４】
切断および遮断素子（２０）の長手方向両側に案内（２６）を設け、この案内（２６）の収容部（１７）対向する側の端部（２７）にそれぞれ対向止め部（２５）を設けた請求項２記載のダクト遮断装置。
【請求項５】
ハウジング（１１）に底面（１２）を設け、この底面（１２）を取付状態で壁（５０）に隣接させ、収容部（１７）から切れ込む切欠き（１９）を底面（１２）に設けた請求項１記載のダクト遮断装置。
【請求項６】
前記切断および遮断素子（２０）に、遮断部（２３，２４）を互いに平行にずれた状態にする段差部を設け、この段差部（２２）を切断および遮断素子（２０）の進行方向にほぼ直交する方向に延在するものとした請求項１乃至５のうちのいずれか一項に記載のダクト遮断装置。
【請求項７】
前記段差部（２２）に、前記対向止め部（２５）を設けた請求項６記載のダクト遮断装置。
【請求項８】
前記駆動手段（２８）を膨張可能な材料により構成した請求項１乃至７のうちのいずれか一項に記載のダクト遮断装置。
【請求項９】
ハウジング（１１）の底面（１２）に隣接して、ハウジング（１１）に通気孔（１８）を設けた請求項１乃至８のうちのいずれか一項に記載のダクト遮断装置。
【発明の詳細な説明】
【技術分野】
【０００１】
本発明は、管もしくはケーブルチャンネルのようなダクトを火災の際に遮断するための装置であって、ハウジングと、このハウジングにダクトを収容するよう形成した収容部とを設け、ハウジングには、火災の際にダクトに切り込んで遮断するよう駆動手段（２８）によって収容部に向かってハウジングから遮断位置に移動可能にした切断および遮断素子を設け、またハウジングには、固定素子により取り付けを行う固定部を設けたダクト遮断装置に関するものである。
【背景技術】
【０００２】
ハウジングに案内される切断素子を設け、この切断素子を火災の際に駆動手段によって合成材料の導管に駆動する火災遮断装置がある。（例えば、特許文献１参照。）この切断素子は、導管を遮断するシャッターに設ける。駆動手段は、膨張可能な材料もしくはばね素子によって構成する。ハウジングは、２部分構成にし、組み合わせ状態で合成材料の導管を包囲する。このため、ハウジングには円形の切り込みもしくは収容部を設け、この収容部の側方に切断素子を有するシャッターを配置する。シャッターに対向するハウジング部分がシャッターの最大前進量を規定する。
【特許文献１】米国特許第５，２５７，６４１号明細書
【発明の開示】
【発明が解決しようとする課題】
【０００３】
しかし、この従来の防火遮断装置には、導管に対して平行な２個の壁に対して間隔をとって壁に貫通する導管にしか適用できず、２個のハウジング部分のための背後空間を必要としていたという欠点がある。
【０００４】
したがって、本発明の目的は、既存のダクトもしくはチャンネルをも遮断することができ、従来のダクト遮断装置の欠点のない、組み付けが簡単であり、例えば、合成材料導管のような導管を火災後に信頼性高く分断もしくは遮断することができるダクト遮断装置を得るにある。
【課題を解決するための手段】
【０００５】
この目的を達成するため、本発明ダクト遮断装置は、収容部の切断および遮断素子側とは反対側を開放した構成にし、またハウジングに少なくとも１個の止め部を設け、切断および遮断素子にはこの止め部に連係動作する少なくとも１個の対向止め部を設けて切断および遮断素子の遮断位置を規定する構成としたことを特徴とする。
【発明の効果】
【０００６】
本発明のこの構成によれば、壁または天井に貫通して他の壁にすぐ近接するダクトにも配置することができる。ダクトは、本発明装置の開放した収容部に簡単に導入することができる。さらに、規定された遮断位置により、ダクトの正確な遮断が保証され、切断および遮断素子はハウジングから抜け出ることがなく、誤作動することがない。
【発明を実施するための最良の形態】
【０００７】
本発明の好適な実施例においては、ダクトをノギス状のハウジングの前方延長部によって部分的に包囲する。この場合、ダクト遮断装置の位置決めおよび心決めを良好に行うことができる。好適には、このハウジングの前方延長部に止め部を構成し、この止め部によって、切断および遮断素子の最大案内行程を制限するようにする。
【０００８】
好適には、２個の前方延長部を設け、この前方延長部の遊端に、それぞれ止め部を設ける。この構成によれば、切断および遮断素子の正確な移動制限、および最大案内行程を自動的に生ずることができる。同様に、切断および遮断素子の遮断位置の見誤りも回避される。
【０００９】
本発明の好適な実施例においては、切断および遮断素子の長手方向両側に案内を設け、この案内の収容部対向する側の端部にそれぞれ対向止め部を設ける。この構成によれば、切断および遮断素子の案内、並びに単独の（場合によっては２個の）素子を有する移動制限が可能になる。
【００１０】
さらに、好適な実施例においては、ハウジングに底面を設け、この底面を取付状態で壁に隣接させ、収容部から切れ込む切欠きを底面に設ける。この切欠きは、前進する切断および遮断素子によって、ダクトの内部空間に連通する開口として機能し、この開口から膨張可能な材料がダクトないに膨張していくことができ、ダクトを煙ガスに対して密封する遮断を生ずることができる。
【００１１】
好適には、切断および遮断素子に、遮断部を互いに平行にずれた状態にする段差部を設け、この段差部を切断および遮断素子の進行方向にほぼ直交する方向に延在するものとする。この段差部は、一方では、都合よく対向止め部を構成するとともに推進力受容手段としても機能し、他方では、膨張可能な物質よりなる駆動手段を火災の際にダクト内部に導く案内としても機能する。
【００１２】
好適には、ハウジングの底面に隣接して、ハウジングに通気孔を設ける。この構成によれば、ハウジングと、装置を取り付ける壁もしくは天井との間の熱伝達を良好にする。
【００１３】
次に、図面につき本発明の好適な実施例を説明する。
【実施例１】
【００１４】
図１〜図４に、合成樹脂製の管もしくはケーブルチャンネルのようなこのダクト３０を本発明による遮断するダクト遮断装置１０を示し、このダクト遮断装置１０は、図示の実施例では防火シャッターとして構成し、ハウジング１１には、シャッター素子をなす切断および遮断素子２０を摺動自在に案内する。このハウジング１１には、壁５０に対する取り付け状態で、壁側に対向する側面に底面１２を設ける。ハウジングの底面１２は、ハウジング１１に一体に構成するか、もしくは個別の部分として構成することができる。ハウジング１１の一方の端部に収容部１７を配置し、この収容部１７は、ハウジング１１を画定するハウジング平面４０に平行な２つの側面を開放する。この収容部１７には、さらに、ハウジング１１の長さ方向に延在し、かつ切断および遮断素子２０とは反対側に向かって開放し、側方を部分的に２個の前方延長部分でノギス状に包囲する。ハウジング１１の内部空間には、収容部１７に連通する開口３１を設け、この開口３１を経て切断および遮断素子２０がハウジング１１から収容部１７内に突入することができるようにする。
【００１５】
図１および図３から明らかな初期位置４１では、切断および遮断素子２０はハウジング１１内にほぼ存在する。
【００１６】
切断および遮断素子２０の収容部１７に対向する側には、切り刃を設けた切断手段２１を設ける。切断および遮断素子２０の長手方向側方に案内部２６を設け、この案内部２６は、切断および遮断素子２０の遮断部２３に直交する壁部として構成する。この案内部２６は、ハウジング１１の案内１６において案内される。
【００１７】
ハウジング１１の開口３１側とは反対側の部分に駆動手段２８、例えば、火災時の熱で活性化して膨張する膨張可能材料もしくはばね素子を配置する。切断および遮断素子２０には、駆動手段２８側の端部に推進力受容手段４８を設け、この推進力受容手段４８に駆動手段２８を掛合させ、膨張する駆動手段２８によって、切断および遮断素子２０がハウジング１１から突出するよう移動できるようにする。推進力受容手段４８は、例えば、遮断部２３に直交する壁部により構成し、この壁部は切断および遮断素子２０の長手方向に直交する方向に延在するものとする。
【００１８】
ハウジングの前方延長部１３の遊端１４には、切断および遮断素子２０の前進を制限して、図２および図４に示す遮断位置４２を規定する止め部１５を設ける。切断および遮断素子２０には、遮断位置でハウジングの前方延長部１３の止め部１５に衝合する対向止め部２５を設ける。この対向止め部２５は、図示の実施例では、案内部２６の端部２７により構成する。遮断位置４２では、切断および遮断素子２０は、ハウジング１１から最大限露出し、ダクト３０を完全に遮断することができる。
【００１９】
図３、図４および図８には、本発明によるダクト遮断装置１０を、合成材料の導管として構成したダクト３０の近傍で壁５０に直接配置した状態を示す。このため、ダクト遮断装置１０には固定部２９を設け、この固定部２９によって、例えば、ねじ、もしくはくぎのような固定素子５９で壁５０に固定することができるようにする。ダクト３０は収容部１７の空間をほぼ満たし、ハウジングの前方延長部１３によって部分的に包囲される。好適には、前方延長部１３を有するハウジング１１は、最大で約１８０゜にわたり、即ち、合成材料の導管の半分を包囲するようにする。図３および図４に明示するように、ハウジングの底面１２は、壁５０から離して配置し、底面１２と壁５０との間に通気孔１８を生ずるようにしている。この通気孔１８は、高温空気もしくは煙ガスと、ダクト遮断装置１０全体との間に迅速な熱交換が行われるようにする。このことにより、ダクト遮断装置１０の火災時における応答時間を短縮することができる。
【００２０】
図４は、ダクト遮断装置１０が火災により作動し、切断および遮断素子２０が、膨張可能物質として構成した駆動手段２８によって前進方向４３に遮断位置４２に向かって移動した状態を示す。切断および遮断素子２０は、切断手段２１で火災の熱により柔らかくなったダクトに切り込み、遮断部２３で遮断する。ハウジングの底面１２の切欠き部１９により、膨張した膨張可能物質が推進力受容手段４８の周囲を還流し、ダクト３０の内部空間内に膨張していくことができる。これにより、煙ガスに対して耐久性のあるダクト３０の遮断を行うことができる。
【００２１】
図８から明らかなように、本発明ダクト遮断装置１０の利点は、空間のコーナーにおける壁５０に存在するダクト３０にも使用できることである。このようなコーナーにおいては、ダクト３０は、壁５１及び／又は天井５２のすぐ近傍に存在し、取付金具等によってダクト３０の全周を抱き込むことはできない。しかし、本発明によれば、ダクト３０は三方が開放している収容部１７に導入することができ、ダクト３０が貫通する壁５０に直接固定することができる。
【実施例２】
【００２２】
図５〜図７に示すダクト遮断装置１０は、切断および遮断素子２０に２個の遮断部２３，２４を設けた点で上述の第１の実施例とは異なり、これら遮断部２３，２４に直交する壁部をなす段差部２２を介して遮断部２３，２４を互いに平行にずらして配置する。図５に示すように、段差部２２の両側の端部に対向止め部２５を設ける。この段差部２２は、駆動手段２８が掛合する推進力受容手段４８をもなす。この第２実施例では、ハウジングの底面１２における切欠き部およびハウジング１１の側面の一部における通気孔は設けない。
【００２３】
壁５０に対する取り付けは、やはり、上述したような固定部２９を介して行うことができる。
【００２４】
図７には、火災によってダクト遮断装置１０が作動し、切断および遮断素子２０が膨張可能物質で構成した駆動手段２８により遮断位置４２に移動した状態を示し、この状態では段差部２２の対向止め部２５がハウジングの前方延長部１３の止め部１５に衝合する。切断および遮断素子２０は、切断手段２１で火災の熱で柔らかくなったダクト３０に切り込み、遮断部２３，２４でこのダクトを遮断する。ダクト３０の内部に開放した収容部１７を経て、膨張可能物質が遮断部２３に沿ってダクト３０の内部空間内に膨張していき、ダクト３０に対する煙ガスの遮断を行うことができる。
【図面の簡単な説明】
【００２５】
【図１】本発明によるダクト遮断装置の第１実施例の斜視図である。
【図２】図１のダクト遮断装置のハウジング底面を取り外した状態の斜視図である。
【図３】壁の近傍でダクトに取り付けた図１のダクト遮断装置を初期状態での縦断面図である。
【図４】図３におけるダクト遮断装置が動作した状態での縦断面図である。
【図５】本発明によるダクト遮断装置の第２実施例の斜視図である。
【図６】図５のダクト遮断装置を壁の近傍でダクトに取り付けた初期状態での縦断面図である。
【図７】図６のダクト遮断装置が作動した状態での縦断面図である。
【図８】図１のダクト遮断装置を天井の壁に取り付けた状態の説明図である。
【符号の説明】
【００２６】
１０  ダクト遮断装置
１１  ハウジング
１２  底面
１３  前方延長部
１４  遊端
１５  止め部
１６  案内
１７  収容部
１８  通気孔
１９  切欠き部
２０  切断および遮断素子
２１  切断手段
２２  段差部
２３  遮断部
２４  遮断部
２５  対向止め部
２６  案内部
２７  端部
２８  駆動手段
２９  固定部
３０  ダクト
３１  開口
４０  ハウジング平面
４１  初期位置
４２  遮断位置
４３  前進方向
４８  推進力受容手段
５０  壁
５１  壁
５２  天井
５９  固定素子
【図１】
2006000653.tif 000003
【図２】
2006000653.tif 000004
【図３】
2006000653.tif 000005
【図４】
2006000653.tif 000006
【図５】
2006000653.tif 000007
【図６】
2006000653.tif 000008
【図７】
2006000653.tif 000009
【図８】
2006000653.tif 000010